(57)【要約】【課題】地震時や輸送時などに大きな揺れや振動を受けても、バッテリーのずれの発生により配線が外れるトラブルを防止することのできるパッケージ型発電装置を提供すること。【解決手段】ベース４上には、エンジン１と発電機２が載置されている。発電機２の上方には、ベース４上に直接支持された架台５が設けられ、この架台５上に制御盤６およびバッテリー７が搭載されている。バッテリー７は、その側面方向および上方向から押さえる押さえ板１３，１４を介して架台５に固定されており、地震時や輸送時の揺れや振動に対して押さえ板１３，１４により拘束されるようになっている。【選択図】図２
2007309105.tif 000002
【特許請求の範囲】
【請求項１】
ベース上に発電機、エンジン、制御盤および前記発電機を始動するバッテリを搭載して周囲をパッケージで覆い、前記バッテリーを架台上に設置したパッケージ型発電装置において、前記バッテリーを、その側面方向および上方向から押さえる押さえ板を介して前記架台に固定したことを特徴とするパッケージ型発電装置。
【請求項２】
前記押さえ板は、一側面を開口した箱状の第１の押さえ板と、この第１の押さえ板の開口した一側面側に配設され、前記第１の押さえ板内に載置されたバッテリーを挟むようにして前記第１の押さえ板との間で締結具を介して連結され、前記バッテリーの一側面および上面を押さえる断面Ｌ字状の第２の押さえ板とを備えてなることを特徴とする請求項１に記載のパッケージ型発電装置。
【発明の詳細な説明】
【技術分野】
【０００１】
本発明は、パッケージ型発電装置に係り、特にバッテリーの固定構造を改良したパッケージ型発電装置に関するものである。
【背景技術】
【０００２】
大型の病院やショッピングセンタ等で自家発電や非常用電源として、あるいは熱電併用として設置されるパッケージ型発電装置は、ディーゼル、ガソリン等のエンジンや交流発電機等の発電機をパッケージ内に備え、発電機は、始動時にはバッテリから給電されて駆動され、始動後はエンジンにより駆動されて発電するようになっている。
【０００３】
この種のパッケージ型発電装置として特許文献１に記載されたものがある。このパッケージ型発電装置は、エンジンと発電機が水平方向に直結されてベース上に載置された構成を有し、また発電機の上方には、ベース上に直接支持された架台が設けられ、この架台上に制御盤とバッテリーが搭載された構成を有している。
【０００４】
制御盤とバッテリーを架台上に載置しているのは、これらの機器を比較的高い位置に配置することにより操作性を向上するとともにパッケージ内の空間を有効に利用して発電装置をコンパクトに構成するためである。
【特許文献１】特開２００４−３５３４６１号公報
【発明の開示】
【発明が解決しようとする課題】
【０００５】
ところで、このようなパッケージ型発電装置においては、地震時や輸送時に大きな揺れや振動が発生すると、架台上に載置されて比較的高い位置にある制御盤やバッテリーにも大きな揺れや振動が作用する。とりわけバッテリーは、上部に配線が行われる関係上、その基部のみを架台に固定することにより載置されており、地震時などに大きな揺れや振動を受けると、基部を中心に揺れや振動が発生し、基部の固定部の一部が緩んだり、破損したりしてバッテリーの固定位置がずれ、配線が外れる可能性があった。
【０００６】
本発明は、上記の問題を解決するためになされたもので、その目的とするところは地震時や輸送時などに大きな揺れや振動を受けても、バッテリーの固定位置のずれ発生により配線が外れるトラブルを防止することのできるパッケージ型発電装置を提供することにある。
【課題を解決するための手段】
【０００７】
上記目的を達成するため、本発明によるパッケージ型発電装置においては、ベース上に発電機、エンジン、制御盤および発電機を始動するバッテリを搭載して周囲をパッケージで覆い、バッテリを架台上に設置したパッケージ型発電装置において、バッテリーを、その側面方向および上方向から押さえる押さえ板を介して架台に固定したことを特徴とする。
【発明の効果】
【０００８】
本発明のパッケージ型発電装置によれば、バッテリーが押さえ板によりその側面方向および上方向から押さえられているので、地震時などに大きな揺れや振動が発生しても、バッテリーの基部に作用する応力が軽減されるため、バッテリーの固定位置がずれるようなことがなくなり、配線が外れるトラブルを防止することができる。
【発明を実施するための最良の形態】
【０００９】
以下、本発明の実施の形態を説明する。図１（ａ）は本発明によるパッケージ型発電装置の全体を、正面側の側壁を開口して示す正面図、図１（ｂ）は図１（ａ）の側面図である。また図２（ａ）は図１に示すバッテリーの固定構造を拡大して示す正面図、図２（ｂ）は図２（ａ）の平面図、図２（ｃ）は図２（ａ）の側面図である。
【００１０】
図１（ａ）および（ｂ）において、エンジン１と発電機２は、水平方向に直結されてそれぞれ防振ゴム３を介してベース４上に載置されている。発電機２の上方には、ベース４上に直接支持された架台５が設けられ、この架台５上に制御盤６とバッテリ７が搭載されている。制御盤６は発電装置を運転制御するものであり、バッテリ７は発電機２に始動時の電力を供給するものである。
【００１１】
エンジン１の側方には、エンジン１の廃熱を冷却水により熱交換するラジエータ８が設けられ、また上方には、排ガスサイレンサー９が設けられている。排ガスサイレンサー９は、フレキシブル配管１０を介してエンジン１に連結され、排気管１１を介して後述するパッケージ外部に連通され、エンジン１を駆動している際に発生する排ガスを消音して外部に排出するようになっている。これらの機器の周囲は、内壁に吸音材を取付ける等の処理を行った防音壁構造を有するパッケージ１２で覆われている。
【００１２】
架台５上に載置されたバッテリー７は、図２（ａ）ないし（ｃ）に示すように、その側面方向および上方向から押さえつける第１および第２の押さえ板１３および１４により支えられている。すなわち、第１の押さえ板１３は、一側面を開口した箱状をなし、その底部が架台５固定されている。この箱状の第１の押さえ板１３内にバッテリー７が載置され、その基部がボルトなどの締結具により第１の押さえ板１３の底部を介して架台５上に固定されている。
【００１３】
第１の押さえ板１３の一側面が開口した側（正面側）には、断面Ｌ字状をなす第２の押さえ板１４が設けられている。この第２の押さえ板１４は、その側面部１４ａが、背面側に位置する第１の押さえ板１３の側面部１３ａとの間でバッテリー７を挟むように配設され、また上面部１４ｂがバッテリー７の上面に当接するように配設されている。そして第２の押さえ板１４の側面部１４ａと第１の押さえ板１３の側面部１３ａとは、その間に通したスタッドおよびボルトなどの締結具１５により連結されてバッテリー７をその側面方向および上方向から押さえつけるように締付け固定している。
【００１４】
これにより、バッテリー７は、地震時や輸送時に揺れや振動が発生しても、第１および第２の押さえ板１３，１４により、側面方向および上方向から押さえつけられて拘束され、バッテリー７の基部の固定部に作用する応力が軽減されることになる。このため、バッテリー７の基部において、固定部が緩んだり、破損したりすることがなくなり、バッテリー７の固定位置がずれるようなことがなくなるので、配線が外れるトラブルを未然に防止することができる。
【図面の簡単な説明】
【００１５】
【図１】（ａ）は本発明によるパッケージ型発電装置の全体を、正面側の側壁を開口して示す正面図、（ｂ）は（ａ）の側面図である。
【図２】（ａ）は図１に示すバッテリーの固定構造を拡大して示す正面図、（ｂ）は（ａ）の平面図、（ｃ）は（ａ）の側面図である。
【符号の説明】
【００１６】
１…エンジン
２…発電機
３…防振ゴム
４…ベース
５…架台
６…制御盤
７…バッテリー
８…ラジエータ
９…排ガスサイレンサー
１０…フレキシブル配管
１１…排気管
１２…パッケージ
１３…第１の押さえ板
１３ａ…側面部
１４…第２の押さえ板
１４ａ…側面部
１４ｂ…上面部
【図１】
2007309105.tif 000003
【図２】
2007309105.tif 000004